(57)【特許請求の範囲】
【請求項１】
多数のブラシ毛材が、芯材を中心に放射状に設けられ、
前記放射状のブラシ毛材の一部を、前記芯材の芯軸方向に沿って治具にて集めて平板状に加圧加熱し、
前記多数のブラシ毛材を、加圧加熱によって前記芯材の芯軸方向に沿って平板状に形成してなるブラシ部を有し、
前記ブラシ部は、前記芯材を中心とした対称位置に形成され、
前記対称位置に形成された前記ブラシ部の間には、前記治具にて集められないブラシ毛材が前記ブラシ部のブラシ毛材より短く切断されて前記芯材を中心に放射状に設けられていることを特徴とするブラシ具。
【請求項２】
多数のブラシ毛材が、芯材を中心に放射状に設けられ、
前記放射状のブラシ毛材を、前記芯材の芯軸方向に沿って治具にて集めて平板状に加圧加熱し、
前記多数のブラシ毛材を、加圧加熱によって前記芯材の芯軸方向に沿って平板状に形成してなるブラシ部を有し、
前記ブラシ部は、前記芯材を中心とした対称位置に形成され、
前記対称位置に形成された前記ブラシ部の間には、ブラシ毛材を設けない空間が形成されていることを特徴とするブラシ具。
【請求項３】
多数のブラシ毛材が、芯材を中心に放射状に設けられ、
前記放射状のブラシ毛材を、前記芯材の芯軸方向に沿って治具にて集めて平板状に加圧加熱し、
前記多数のブラシ毛材を、加圧加熱によって前記芯材の芯軸方向に沿って平板状に形成してなるブラシ部を有し、
前記ブラシ部は、前記芯材を中心とした一方の略半円の領域に複数個形成され、
前記他方の略半円の領域には、前記ブラシ部のブラシ毛材と同じ長さのブラシ毛材が前記芯材を中心に放射状に設けられていることを特徴とするブラシ具。
【請求項４】
多数のブラシ毛材が、芯材を中心に放射状に設けられ、
前記放射状のブラシ毛材を、前記芯材の芯軸方向に沿って治具にて集めて平板状に加圧加熱し、
前記多数のブラシ毛材を、加圧加熱によって前記芯材の芯軸方向に沿って平板状に形成してなるブラシ部を有し、
前記ブラシ部は、前記芯材を中心とした対称位置に形成され、
前記対称位置に形成された前記一方のブラシ部のブラシ毛材は、前記他方のブラシ部のブラシ毛材より長さが短いことを特徴とするブラシ具。
【請求項５】
多数のブラシ毛材が、芯材を中心に放射状に設けられ、
前記放射状のブラシ毛材を、前記芯材の芯軸方向に沿って治具にて集めて平板状に加圧加熱し、
前記多数のブラシ毛材を、加圧加熱によって前記芯材の芯軸方向に沿って平板状に形成してなるブラシ部を有し、
前記ブラシ部は、前記芯材を中心とした螺旋状に形成されていることを特徴とするブラシ具。
【請求項６】
多数のブラシ毛材が、芯材を中心に放射状に設けられ、
前記放射状のブラシ毛材を、前記芯材の芯軸方向に沿って治具にて集めて平板状に加圧加熱し、
前記多数のブラシ毛材を、加圧加熱によって前記芯材の芯軸方向に沿って平板状に形成してなるブラシ部を有し、
前記ブラシ部と前記櫛または成形型の塗布部とが前記芯材の軸方向に対して互いに並行になるように設けられていることを特徴とするブラシ具。
【請求項７】
前記ブラシ部は、前記多数のブラシ毛材により形成された平板状の厚さが、前記芯材の直径より大きいことを特徴とする請求項１乃至請求項６のいずれか１項に記載のブラシ具。
【請求項８】
前記ブラシ部は、前記多数のブラシ毛材の先端部が平面状になるように揃えられていることを特徴とする請求項１乃至請求項７のいずれか１項に記載のブラシ具。
【発明の詳細な説明】
【技術分野】
【０００１】
この発明は、特にマスカラブラシや毛染め用ブラシのように塗布対象毛にマスカラや毛染め液などの塗布液を塗布するための液塗布ブラシ、または通常の歯ブラシによるブラッシングでは歯垢清掃が困難な歯間部分を歯垢清掃するための歯間ブラシ等に用いられるブラシ具に関する。
【背景技術】
【０００２】
従来、例えばマスカラブラシとして、特許文献１に開示されているように、ブラシに付着させたマスカラを、まつ毛に塗布するものが用いられている。通常、多数のブラシ毛材を２つ折りとされた芯材で挟み、この芯材を巻き上げて多数のブラシ毛材が芯材から放射状になるように形成し、芯材基端が埋め込み固定されるハンドルから構成されるのが一般的である。
【０００３】
また、歯間ブラシは、主として、通常の歯ブラシでは毛先が届き難い歯と歯の間の狭い場所、つまり隣接歯間を歯垢清掃するための補助清掃用具として使用されるものである。通常、２つ折りとされたワイヤの心材間に合成繊維あるいは天然繊維の束からなるブラシ毛材を複数挟み、心材を捻り加工してブラシ毛材を捻り止めし、このブラシ部材の心  材基端が埋め込み固定されるハンドルから構成されるのが一般的である（例えば、特許文献２，３）。
【先行技術文献】
【特許文献】
【０００４】
【特許文献１】特開平５−２２８０１８号公報
【特許文献２】特開昭６１−２４０９０７号公報
【特許文献３】特開２００４−２４２７８１号公報
【発明の概要】
【発明が解決しようとする課題】
【０００５】
例えば、従来のマスカラブラシは、芯材を巻き上げて多数のブラシ毛材が芯材から放射状になるように形成しているために、ブラシ毛材の間に芯材の太さ分の隙間が生じており、この隙間に塗布液がたまる。このため、塗布液を塗布する際には、塗布液がたまっている隙間の部分に数本のまつ毛が入り込み、まつ毛に液玉となって塗布される等の問題がある。
【０００６】
また、歯間ブラシも同様に、芯材を巻き上げて多数のブラシ毛材が芯材から放射状になるように形成しているために、ブラシ毛材の間に芯材の太さ分の隙間が生じており、この隙間によって歯間を確実に洗浄することが困難であった。
【０００７】
この発明は、かかる実情に鑑みてなされたもので、塗布液を多量に、かつ均一に塗布することが可能な液塗布ブラシ、または歯間に存在する歯垢を確実に除去することが可能な歯間ブラシに好適に用いることができるブラシ具を提案しようとするものである。
【課題を解決するための手段】
【０００８】
前記課題を解決し、かつ目的を達成するために、この発明は、以下のように構成した。
【０００９】
請求項１に記載の発明は、多数のブラシ毛材が、芯材を中心に放射状に設けられ、
前記放射状のブラシ毛材の一部を、前記芯材の芯軸方向に沿って治具にて集めて平板状に加圧加熱し、
前記多数のブラシ毛材を、加圧加熱によって前記芯材の芯軸方向に沿って平板状に形成してなるブラシ部を有し、
前記ブラシ部は、前記芯材を中心とした対称位置に形成され、
前記対称位置に形成された前記ブラシ部の間には、前記治具にて集められないブラシ毛材が前記ブラシ部のブラシ毛材より短く切断されて前記芯材を中心に放射状に設けられていることを特徴とするブラシ具である。
【００１０】
請求項２に記載の発明は、多数のブラシ毛材が、芯材を中心に放射状に設けられ、
前記放射状のブラシ毛材を、前記芯材の芯軸方向に沿って治具にて集めて平板状に加圧加熱し、
前記多数のブラシ毛材を、加圧加熱によって前記芯材の芯軸方向に沿って平板状に形成してなるブラシ部を有し、
前記ブラシ部は、前記芯材を中心とした対称位置に形成され、
前記対称位置に形成された前記ブラシ部の間には、ブラシ毛材を設けない空間が形成されていることを特徴とするブラシ具である。
【００１１】
請求項３に記載の発明は、多数のブラシ毛材が、芯材を中心に放射状に設けられ、
前記放射状のブラシ毛材を、前記芯材の芯軸方向に沿って治具にて集めて平板状に加圧加熱し、
前記多数のブラシ毛材を、加圧加熱によって前記芯材の芯軸方向に沿って平板状に形成してなるブラシ部を有し、
前記ブラシ部は、前記芯材を中心とした一方の略半円の領域に複数個形成され、
前記他方の略半円の領域には、前記ブラシ部のブラシ毛材と同じ長さのブラシ毛材が前記芯材を中心に放射状に設けられていることを特徴とするブラシ具である。
【００１２】
請求項４に記載の発明は、多数のブラシ毛材が、芯材を中心に放射状に設けられ、
前記放射状のブラシ毛材を、前記芯材の芯軸方向に沿って治具にて集めて平板状に加圧加熱し、
前記多数のブラシ毛材を、加圧加熱によって前記芯材の芯軸方向に沿って平板状に形成してなるブラシ部を有し、
前記ブラシ部は、前記芯材を中心とした対称位置に形成され、
前記対称位置に形成された前記一方のブラシ部のブラシ毛材は、前記他方のブラシ部のブラシ毛材より長さが短いことを特徴とするブラシ具である。
【００１３】
請求項５に記載の発明は、多数のブラシ毛材が、芯材を中心に放射状に設けられ、
前記放射状のブラシ毛材を、前記芯材の芯軸方向に沿って治具にて集めて平板状に加圧加熱し、
前記多数のブラシ毛材を、加圧加熱によって前記芯材の芯軸方向に沿って平板状に形成してなるブラシ部を有し、
前記ブラシ部は、前記芯材を中心とした螺旋状に形成されていることを特徴とするブラシ具である。
【００１４】
請求項６に記載の発明は、多数のブラシ毛材が、芯材を中心に放射状に設けられ、
前記放射状のブラシ毛材を、前記芯材の芯軸方向に沿って治具にて集めて平板状に加圧加熱し、
前記多数のブラシ毛材を、加圧加熱によって前記芯材の芯軸方向に沿って平板状に形成してなるブラシ部を有し、
前記ブラシ部と前記櫛または成形型の塗布部とが前記芯材の軸方向に対して互いに並行になるように設けられていることを特徴とするブラシ具である。
【００１５】
請求項７に記載の発明は、前記ブラシ部は、前記多数のブラシ毛材により形成された平板状の厚さが、前記芯材の直径より大きいことを特徴とする請求項１乃至請求項６のいずれか１項に記載のブラシ具である。
【００１６】
請求項８に記載の発明は、前記ブラシ部は、前記多数のブラシ毛材の先端部が平面状に
なるように揃えられていることを特徴とする請求項１乃至請求項７のいずれか１項に記載のブラシ具である。
【発明の効果】
【００１７】
前記構成により、この発明は、以下のような効果を有する。
【００１８】
請求項１に記載の発明では、ブラシ部が多数のブラシ毛材を加圧加熱によって芯材の芯軸方向に沿って平板状に形成され、ブラシ部は、芯材を中心とした対称位置に形成されているから、液塗布ブラシとして用いる場合には、ブラシ毛材に塗布液を付着させるために、液容器にブラシ本体を入れて塗布液を付着させて取り出すことがあるが、このとき液容器の口部に設けられたパッキン等でブラシ部がしごかれてブラシ部に塗布液の液溜りがなく、芯材を中心に短いブラシ毛材の部分に塗布液のしごき残りの塗布液が溜まり、短いブラシ毛材によって例えばまつ毛に多量塗布ができ、塗布後にはブラシ部によってまつ毛を１本１本梳くようにして塗布液を均一に塗布することができる。また、歯間ブラシとして用いる場合には、歯の間の隙間にブラシ毛材が密集したブラシ部を挿入して歯間を確実に歯垢清掃することができ、また対称位置に形成されたブラシ部の間には、ブラシ部のブラシ毛材より短いブラシ毛材が芯材を中心に放射状に設けられているから、この短いブラシ毛材でも歯垢清掃することができる。
【００１９】
請求項２に記載の発明では、ブラシ部が多数のブラシ毛材を加圧加熱によって芯材の芯軸方向に沿って平板状に形成され、ブラシ部は、芯材を中心とした対称位置に形成されているから、液塗布ブラシとして用いる場合には、ブラシ毛材に塗布液を付着させるために、液容器にブラシ本体を入れて塗布液を付着させて取り出すことがあるが、このとき液容器の口部に設けられたパッキン等でブラシ部がしごかれてブラシ部に塗布液の液溜りがなく、芯材を中心にブラシ毛材を設けない空間に塗布液のしごき残りの液溜りができ、この液溜りで例えばまつ毛に多量塗布ができ、塗布後にはブラシ部によってまつ毛を１本１本梳くようにして塗布液を均一に塗布することができる。また、歯間ブラシとして用いる場合には、歯の間の隙間にブラシ毛材が密集したブラシ部を挿入して歯間を確実に歯垢清掃することができ、また対称位置に形成されたブラシ部の間には、ブラシ毛材を設けない空間が形成されているから、空間に歯垢が溜まり除去することができ、狭い歯間を確実に歯垢清掃することができる。
【００２０】
請求項３に記載の発明では、ブラシ部が多数のブラシ毛材を加圧加熱によって芯材の芯軸方向に沿って平板状に形成され、かつブラシ部は、芯材を中心とした一方の略半円の領域に複数個形成され、他方の略半円の領域には、ブラシ部のブラシ毛材と同じ長さのブラシ毛材が芯材を中心に放射状に設けられているから、液塗布ブラシとして用いる場合には、ブラシ毛材に塗布液を付着させるために、液容器にブラシ本体を入れて塗布液を付着させて取り出すことがあるが、このとき液容器の口部に設けられたパッキン等でブラシ部がしごかれて一方の略半円の領域の複数のブラシ部に液溜りがなく、他方の略半円の領域のブラシ毛材に付着した塗布液を例えばまつ毛に多量塗布でき、複数のブラシ部によってまつ毛を１本１本梳くようにして塗布液を均一に塗布することができる。また、歯間ブラシとして用いる場合には、１個ずつブラシ部のブラシ毛材を歯間に挿入して確実に歯垢清掃することができ、また歯の根元から先端間に広い隙間がある場合には、他方の略半円の領域のブラシ毛材と複数個のブラシ部を挿入して歯間を確実に歯垢清掃することができる。
【００２１】
請求項４に記載の発明では、ブラシ部が多数のブラシ毛材を加圧加熱によって芯材の芯軸方向に沿って平板状に形成され、かつブラシ部は、芯材を中心とした対称位置に形成され、対称位置に形成された一方のブラシ部のブラシ毛材は、他方のブラシ部のブラシ毛材より長さが短いから、液塗布ブラシとして用いる場合には、ブラシ毛材に塗布液を付着させるために、液容器にブラシ本体を入れて塗布液を付着させて取り出すことがあるが、このとき液容器の口部に設けられたパッキン等でブラシ部がしごかれてブラシ部に塗布液の液溜りがなく、短いブラシ部の部分にしごき残りの液溜りができ、この液溜りで例えばまつ毛に多量塗布ができ、塗布後にはブラシ部によってまつ毛を１本１本梳くようにして塗布液を均一に塗布することができる。また、歯間ブラシとして用いる場合には、歯の間の隙間にブラシ毛材が密集したブラシ部を挿入して歯間を確実に歯垢清掃することができ、また対称位置に形成されたブラシ部の短いブラシ毛材でも歯垢清掃することができる。
【００２２】
請求項５に記載の発明では、ブラシ部が多数のブラシ毛材を加圧加熱によって芯材の芯軸方向に沿って平板状に形成され、ブラシ部は、芯材を中心とした螺旋状に形成されているから、液塗布ブラシとして用いる場合には、ブラシ毛材に塗布液を付着させるために、液容器にブラシ本体を入れて塗布液を付着させて取り出すことがあるが、このとき液容器の口部に設けられたパッキン等でブラシ部がしごかれてブラシ部に塗布液の液溜りがなく、螺旋状のブラシ部の間の部分にしごき残りの塗布液が溜まりができ、この液溜りで例えばまつ毛に多量塗布ができ、塗布後にはブラシ部を回転操作してまつ毛を１本１本梳くようにして塗布液を均一に塗布することができる。また、歯間ブラシとして用いる場合には、歯の間の隙間にブラシ毛材が密集したブラシ部を挿入して歯間を確実に歯垢清掃することができ、また螺旋状のブラシ部の間によって歯垢を排除でき確実に歯垢清掃することができる。
【００２３】
請求項６に記載の発明では、ブラシ部が多数のブラシ毛材を加圧加熱によって芯材の芯軸方向に沿って平板状に形成され、ブラシ毛材は芯軸方向の隙間が軽減され、ブラシ部は、塗布液を塗布する櫛または成形型の塗布部と軸方向に組み合わせた構成であるから、液塗布ブラシとして用いる場合には、ブラシ毛材に塗布液を付着させるために、液容器にブラシ本体を入れて塗布液を付着させて取り出すことがあるが、このとき液容器の口部に設けられたパッキンでブラシ部がしごかれてブラシ部に塗布液の液溜りがなく、櫛または成形型の塗布部を用いて例えばまつ毛に多量塗布し、ブラシ部によってまつ毛を１本１本梳くようにして塗布液を均一に塗布することができる。また、歯間ブラシとして用いる場合には、歯の間の隙間にブラシ毛材が密集したブラシ部を挿入して歯間を確実に歯垢清掃することができる。
【００２４】
請求項７に記載の発明では、ブラシ部は、多数のブラシ毛材により形成された平板状の厚さが、芯材の直径より大きいことで、液塗布ブラシとして用いる場合には、まつ毛を多数のブラシ毛材によって１本１本梳くようにして塗布液をより均一に塗布することができ、歯間ブラシとして用いる場合には、歯の間の隙間に多数のブラシ毛材を挿入して歯間をより確実に歯垢清掃することができる。
【００２５】
請求項８に記載の発明では、ブラシ部は、多数のブラシ毛材の先端部が平面状になるように揃えられており、液塗布ブラシとして用いる場合には、多数のブラシ毛材の長さが揃っていることで多くの多数のブラシ毛材によってまつ毛を１本１本梳くようにして塗布液をより均一に塗布することができ、歯間ブラシとして用いる場合には、多数のブラシ毛材を歯の間の隙間に挿入して歯間をより確実に歯垢清掃することができる。
【図面の簡単な説明】
【００２６】
【図１】第１の実施の形態のブラシ具を説明する図である。
【図２】ブラシ具の製造方法を説明する図である。
【図３】ブラシ具を液塗布ブラシとして用いる場合を説明する図である。
【図４】ブラシ具を歯間ブラシとして用いる場合を説明する図である。
【図５】第２の実施の形態のブラシ具を説明する図である。
【図６】ブラシ具の製造方法を説明する図である。
【図７】第３の実施の形態のブラシ具を説明する図である。
【図８】ブラシ具の製造方法を説明する図である。
【図９】他の実施の形態を説明する図である。
【図１０】他の実施の形態を説明する図である。
【図１１】他の実施の形態を説明する図である。
【図１２】他の実施の形態を説明する図である。
【図１３】他の実施の形態を説明する図である。
【発明を実施するための形態】
【００２７】
以下、この発明のブラシ具の実施の形態について説明する。この発明の実施の形態は、発明の最も好ましい形態を示すものであり、この発明はこれに限定されない。
［第１の実施の形態］
（ブラシ具の構成）
この第１の実施の形態を、図１に基づいて説明する。図１（ａ）はブラシ具の側面図、図１（ｂ）はブラシ具の断面図である。ブラシ具１は、握り部２と、この握り部２の先端に全体の外観形状として手元側から先端側まで断面がほぼ長方形形状に成形されたブラシ本体３を有する。ブラシ本体３は、２個のブラシ部４を有する。このブラシ部４は、多数のブラシ毛材５が、芯材６を中心に放射状に設けられており、この放射状のブラシ毛材５は、芯材６の厚さに集めて加圧加熱することによって、芯材６の芯軸方向Ｌ１に沿って平板状に形成されている。
【００２８】
２個のブラシ部４は、芯材６を中心として直線状になるような対称位置にあり、このブラシ部４は、多数のブラシ毛材５により形成された平板状の厚さＨ１が、芯材６の直径Ｄ１より大きく形成されている。平板状の厚さＨ１が、芯材６の直径Ｄ１と略同じ大きさであると、狭い隙間に塗布したり歯垢清掃することができ、直径Ｄ１より略３倍程度大きく形成されていると、広い隙間に塗布したり歯垢清掃することができる。
【００２９】
また、ブラシ部４は、多数のブラシ毛材５の先端部５ａが平面状になるように揃えられ、かつ図１に示すように、手元から先端まで芯材６の芯軸方向Ｌ１に沿って平行になっている。また、２個のブラシ部４は、芯材６を中心として対称位置にあるが、この２個のブラシ部４の間に位置するブラシ毛材７は短く切断され、先端部７ａは、円形に沿うようになっている。このように、２個のブラシ部４は、芯材６を中心とした対称位置に形成され、対称位置に形成されたブラシ部４の間には、ブラシ部４のブラシ毛材５より短いブラシ毛材７が芯材６を中心に放射状に設けられている。
【００３０】
（ブラシ具の製造方法）
次に、ブラシ具１の製造方法を、図２に基づいて説明する。この実施の形態の場合、ブラシ本体３は、０．１〜２．０〔ｍｍφ〕の太さの２本になるように折り曲げたステンレス線材の心材６間に、その延長方向に多数のブラシ繊維材料のブラシ毛材５を配列するように挟み込んだ状態において（図２（ａ））、心材６にねじり加工を施すことにより、ねじり加工された芯材６を中心として、直線的に外方にブラシ毛材５を突出するように植毛し、多数のブラシ毛材５が、芯材６を中心に放射状に設けられた状態になる（図２（ｂ））。
【００３１】
ブラシ繊維材料は、０．０２８〜０．３〔ｍｍφ〕の合成樹脂材料（ナイロン、テトロン、ポリエステル、ポリプロピレンなど）の繊維素材を用いることができ、心材６やブラシ毛材５の材質、大きさ、形状等はブラシ具の使用用途によって自由に選定される。
【００３２】
多数のブラシ毛材５が、芯材６を中心に放射状に設けられた状態では、芯材６の芯軸方向から見ると、多数のブラシ毛材５が真円形状になっており、この真円形状から楕円形状になるように切断し（図２（ｃ））、これによりブラシ毛材５より短いブラシ毛材７が芯材６を中心に放射状に設けられる。４個の楔形治具５０を芯材６方向に差し込み（図２（ｄ））、この４個の楔形治具５０を用いて楕円形状の長軸側に放射状のブラシ毛材５が芯材６を中心になるように集め、４個の楔形治具５０に熱を与えて集めた放射状のブラシ毛材５を平板状に加圧加熱する（図２（ｅ））。このように、図１に示すように、多数のブラシ毛材５を、加圧加熱によって芯材６の芯軸方向に沿って平板状に形成してなるブラシ部４が形成される。このブラシ部４は、芯材６を中心とした対称位置に形成され、対称位置に形成されたブラシ部４の間には、ブラシ部４のブラシ毛材５より短いブラシ毛材７が芯材６を中心に放射状に設けられる。
【００３３】
（液塗布ブラシとして用いる場合）
このブラシ具１を液塗布ブラシとして用いる場合を、図３に基づいて説明する。ブラシ具１のブラシ部４は、多数のブラシ毛材５を加圧加熱によって芯材６の芯軸方向に沿って平板状に形成されている。
【００３４】
したがって、液塗布ブラシとして用いる場合には、ブラシ毛材に塗布液を付着させるために、塗布液を貯留した液容器にブラシ本体３を入れ、ブラシ部４に塗布液を付着させて取り出すことがあるが、この取り出すときに液容器の口部に設けられたパッキン等でブラシ部４のブラシ毛材５がしごかれる。このしごき後には、ブラシ部４のブラシ毛材５に塗布液の液溜りがなく、芯材６を中心にしごき残りの塗布液の液溜りができる。この液溜りでまつ毛６に多量塗布ができ、塗布後にはブラシ部４のブラシ毛材５によってまつ毛６０を１本１本梳くようにして塗布液を均一に塗布することができる。
【００３５】
また、直線状になるように対称位置に形成されたブラシ部４の間には、ブラシ部４のブラシ毛材５より短いブラシ毛材７が芯材を中心に放射状に設けられているから、ブラシ部４の間の短いブラシ毛材７の部分にしごき残りの塗布液が溜まり、塗布液の多量塗布を短いブラシ毛材７によって簡単、かつ確実に行なうことができる。
【００３６】
また、ブラシ部４は、多数のブラシ毛材５により形成された平板状の厚さＨ１が、芯材６の直径Ｄ１より大きいことで、液塗布ブラシとして用いる場合には、まつ毛６０をブラシ部４のより多数のブラシ毛材５によって１本１本梳くようにして塗布液をより均一に塗布することができる。
【００３７】
また、ブラシ部４は、多数のブラシ毛材５の先端部５ａが平面状になるように揃えられており、液塗布ブラシとして用いる場合には、多数のブラシ毛材５の長さが揃っていることで、多くのまつ毛６０を１本１本梳くようにして塗布液をより均一に塗布することができる。
【００３８】
（歯間ブラシとして用いる場合）
このブラシ具１を歯間ブラシとして用いる場合を、図４に基づいて説明する。ブラシ具１のブラシ部４は、多数のブラシ毛材５を加圧加熱によって芯材６の芯軸方向に沿って平板状に形成されており、歯６１間に狭い隙間Ｓ１がある場合には、ブラシ部４のブラシ毛材５を狭い隙間Ｓ１に挿入すると、先端部５ａが歯６１間の根元まで届き歯間を確実に歯垢清掃することができ（図４（ａ））、また歯６１の根元間に狭い隙間Ｓ２がある場合には、狭い隙間Ｓ２にブラシ毛材５の先端部５ａを挿入して歯間を確実に歯垢清掃することができ（図４（ｂ））、また歯６１の根元から先端間に広い隙間Ｓ３がある場合には、芯材６と共に広い隙間Ｓ３にブラシ毛材５を挿入し、短いブラシ毛材７でも歯間を確実に歯垢清掃することができる（図４（ｃ））。
【００３９】
また、ブラシ部４は、多数のブラシ毛材５により形成された平板状の厚さＨ１が、芯材６の直径Ｄ１より大きいことで、歯間ブラシとして用いる場合には、歯６１の間の狭い隙間に多数のブラシ毛材５を挿入して歯間をより確実に歯垢清掃することができる。
【００４０】
また、ブラシ部４は、多数のブラシ毛材５の先端部５ａが平面状になるように揃えられており、歯間ブラシとして用いる場合には、多数のブラシ毛材５の長さが揃っていることで、多数のブラシ毛材５の先端部５ａを歯６１の間の狭い隙間に挿入して歯間をより確実に歯垢清掃することができる。
【００４１】
［第２の実施の形態］
（ブラシ具の構成）
この第２の実施の形態を、図５に基づいて説明する。図５（ａ）はブラシ具の側面図、
図５（ｂ）はブラシ具の断面図である。この実施の形態で、第１の実施の形態と同じ構成は、同じ符号を付して説明を省略する。この実施の形態のブラシ具１は、ブラシ本体３が２個のブラシ部４を有している。このブラシ部４は、芯材６を中心とした略直線状になるように対称位置に形成され、対称位置に形成されたブラシ部４の間には、ブラシ毛材を設けない空間Ｗが芯材６の周りに形成されている。
【００４２】
次に、ブラシ具１の他の製造方法を、図６に基づいて説明する。この実施の形態の場合、ブラシ本体３は、同様に多数のブラシ毛材５が、芯材６を中心に放射状に設けられた状態で芯材６の芯軸方向から見ると、多数のブラシ毛材５が真円形状になっており（図６（ａ））、楔形治具などによって放射状のブラシ毛材５を左右に分けて集めて加熱した一対の加圧治具５１の間に挿入する（図６（ｂ））。この一対の加圧治具５１によって放射状のブラシ毛材５を平板状に加圧加熱し（図６（ｃ），（ｄ））、多数のブラシ毛材５を加圧加熱によって芯材６の芯軸方向に沿って平板状に形成してなるブラシ部４が形成される。
【００４３】
（液塗布ブラシとして用いる場合）
この実施の形態では、２個のブラシ部４が多数のブラシ毛材５を加圧加熱によって芯材６の芯軸方向に沿って平板状に形成され、ブラシ部４は、芯材６を中心とした直線状になるように対称位置に形成されているから、液塗布ブラシとして用いる場合には、液容器にブラシ本体３を入れて塗布液を付着させて取り出すことがあるが、このとき液容器の口部に設けられたパッキン等でブラシ部４のブラシ毛材５がしごかれてブラシ部４のブラシ毛材５に塗布液の液溜りがなく、芯材６を中心にブラシ毛材を設けない空間Ｗに塗布液のしごき残りの液溜りができ、この液溜りで例えばまつ毛に多量塗布ができ、塗布後にはブラシ部４のブラシ毛材５によってまつ毛を１本１本梳くようにして塗布液を均一に塗布することができる。
【００４４】
（歯間ブラシとして用いる場合）
歯間ブラシとして用いる場合には、歯の間の隙間にブラシ毛材５が密集したブラシ部４を挿入して歯間を確実に歯垢清掃することができ、また直線状になるように対称位置に形成されたブラシ部４の間には、ブラシ毛材を設けない空間Ｗが形成されているから、空間Ｗに歯垢が溜まり除去することができ、狭い歯間を確実に歯垢清掃することができる。
【００４５】
［第３の実施の形態］
（ブラシ具の構成）
この第３の実施の形態を、図７に基づいて説明する。図７（ａ）はブラシ具の側面図、図７（ｂ）はブラシ具の断面図である。この実施の形態で、第１の実施の形態と同じ構成は、同じ符号を付して説明を省略する。この実施の形態のブラシ具１は、ブラシ本体３が２個のブラシ部４を有している。このブラシ部４は、芯材６を中心とした一方の略半円の領域Ｅ１０に複数個形成され、この実施例では２個鋭角の位置にある。他方の略半円の領域Ｅ１１には、ブラシ部５のブラシ毛材５と同じ長さのブラシ毛材８が芯材６を中心に放射状に設けられている。
【００４６】
（ブラシ具の製造方法）
次に、ブラシ具１の製造方法を、図８に基づいて説明する。この実施の形態の場合、ブラシ本体３は、多数のブラシ毛材５が、芯材６を中心に放射状に設けられた状態であり、芯材６の芯軸方向から見ると、多数のブラシ毛材５が真円形状になっている（図８（ａ））。真円形状の多数のブラシ毛材５には、３個の楔形治具５０を略９０度間隔で芯材６方向に差し込み（図８（ｂ））、両側の楔形治具５０を中央の楔形治具５０に向けて移動させて３個の楔形治具５０に熱を与えて集めた放射状のブラシ毛材５を平板状に加圧加熱する（図８（ｃ））。このように、多数のブラシ毛材５を、加圧加熱によって芯材６の芯軸方向に沿って平板状に形成してなる２個のブラシ部４が、図７に示すように形成される。
【００４７】
（液塗布ブラシとして用いる場合）
このブラシ具１を液塗布ブラシとして用いる場合は、他方の略半円の領域Ｓ１１には、ブラシ部４のブラシ毛材５と同じ長さのブラシ毛材８が芯材６を中心に放射状に設けられているから、液塗布ブラシとして用いる場合には、液容器にブラシ本体３を入れて塗布液を付着させて取り出すことがあるが、このとき液容器の口部に設けられたパッキン等でブラシ部４がしごかれて一方の略半円の領域Ｅ１０の複数のブラシ部５のブラシ毛材５に液溜りがなく、他方の略半円の領域Ｅ１１のブラシ毛材８に付着した塗布液を例えばまつ毛に多量塗布でき、複数のブラシ部４のブラシ毛材５によってまつ毛を１本１本梳くようにして塗布液を均一に塗布することができる。
【００４８】
（歯間ブラシとして用いる場合）
このブラシ具１を歯間ブラシとして用いる場合は、歯６１の先端間に狭い隙間がある場合には、１個ずつブラシ部４のブラシ毛材５を狭い隙間に挿入して歯間を確実に歯垢清掃することができ、また歯の根元から先端間に広い隙間がある場合には、芯材６と共に広い隙間にブラシ毛材８と２個のブラシ部４を挿入して歯間を確実に歯垢清掃することができる。
【００４９】
この実施の形態のブラシ具１は、ブラシ本体３が２個のブラシ部４を有しているが、このブラシ部４は、芯材６を中心として半面側の中央の位置に１個設け、このブラシ部４に対して半面側には、多数のブラシ毛材８が放射状に設けるようにしてもよい。
［その他の実施の形態］
その他の実施の形態を、図９乃至図１３に基づいて説明するが、この実施の形態で、第１の実施の形態と同じ構成は、同じ符号を付して説明を省略する。
【００５０】
まず、図９に示す実施の形態を説明する。図９（ａ）の実施の形態では、ブラシ本体３が２個のブラシ部４を対称位置に有しているが、先端部に向けて先細りになっており、図９（ｂ）の実施の形態では、手元から先端部に向けて先細りになっており、図９（ｃ）の実施の形態では、中央部が細くなっており、これらはブラシ部４の変化した部分を利用して効果的に塗布したり歯垢清掃することができる。
【００５１】
図９（ｄ）の実施の形態では、中央部から先端側は図９（ｃ）の実施の形態と同様であるが、中央部から手元側はブラシ毛材５が放射状になっており、図９（ｅ）の実施の形態では、ブラシ本体３が４個のブラシ部４を中央部から先端側の対称位置に有し、先端部に向けて先細りになっており、中央部から手元側はブラシ部４より短いブラシ毛材５が放射状になっており、図９（ｆ）の実施の形態では、ブラシ本体３が４個のブラシ部４を中央部から手元側の対称位置に有し、対応する一対のブラシ部４が対向する他の一対のブラシ部４より短くなっており、中央部から先端側はブラシ部４より短いブラシ毛材５が放射状になっている。図９（ｇ）の実施の形態では、ブラシ本体３が４個のブラシ部４を中央部から手元側の対称位置に有し、図９（ｆ）の実施の形態と同様に構成されているが、中央部から先端側はブラシ部４と同じ長さから先細りになるようにブラシ毛材５が放射状になっており、これらはブラシ部４とブラシ毛材５が放射状の部分とを利用して効果的に塗布したり歯垢清掃することができる。
【００５２】
図９（ｈ）の実施の形態では、第１の実施の形態と同様に構成されているが、対称位置に形成された一方のブラシ部４のブラシ毛材９は、他方のブラシ部４のブラシ毛材５より長さが短いから、液塗布ブラシとして用いる場合には、液容器にブラシ本体３を入れて塗布液を付着させて取り出すことがあるが、このとき液容器の口部に設けられたパッキン等でブラシ部４のブラシ毛材５がしごかれてブラシ部４のブラシ毛材５に塗布液の液溜りがなく、短いブラシ部４のブラシ毛材９の部分にしごき残りの液溜りができ、この液溜りで例えばまつ毛に多量塗布ができ、塗布後にはブラシ部４のブラシ毛材５によってまつ毛を１本１本梳くようにして塗布液を均一に塗布することができる。また、歯間ブラシとして用いる場合には、歯の間の隙間にブラシ毛材５が密集したブラシ部４を挿入して歯間を確実に歯垢清掃することができ、また対称位置に形成されたブラシ部４の短いブラシ毛材９でも歯垢清掃することができる。
【００５３】
図９（ｉ）の実施の形態では、ブラシ部４が芯材６を中心に螺旋状になるように形成され、ブラシ部４を種々の形状に変化させている。このように、ブラシ部４は、芯材６を中心とした螺旋状に形成されているから、液塗布ブラシとして用いる場合には、液容器から取り出すときに液容器の口部に設けられたパッキン等でブラシ部４のブラシ毛材５がしごかれ、このしごき後には、ブラシ部４のブラシ毛材５に塗布液の液溜りがなく、螺旋状のブラシ部４の間の部分に塗布液が溜まりができる。この液溜りでまつ毛６に多量塗布ができ、塗布後にはブラシ部４のブラシ毛材５を回転操作してまつ毛を１本１本梳くようにして塗布液を均一に塗布することができる。また、歯間ブラシとして用いる場合には、歯の間の隙間にブラシ毛材５が密集したブラシ部４を挿入して歯間を確実に歯垢清掃することができ、また螺旋状のブラシ部４の間によって歯垢を排除でき確実に歯垢清掃することができる。
【００５４】
次に、図１０に示す実施の形態を説明する。図１０（ａ）の実施の形態では、２個のブラシ部４が平板状になっているが、芯材６を中心に交互に同じ波形が突出するように形成され、図１０（ｂ）の実施の形態では、芯材６を中心に両側に同じ波形に突出するように形成され、図１０（ｃ）の実施の形態では、芯材６を中心に交互に同じ波形が対称位置で突出するように形成され、図１０（ｄ）の実施の形態では、芯材６を中心に両側に同じ波形が対称位置で突出するように形成され、ブラシ部４を種々の波形形状に変化させることで、効果的に塗布したり歯垢清掃することができる。
【００５５】
図１０（ｅ）の実施の形態では、一対のブラシ部４を対称位置に有し平面形状になっているが、互いに違いに角度を変化させて芯材６に沿って設け、図１０（ｆ）の実施の形態では、一対のブラシ部４を、角度を変化させて対称位置に有しているが、図１０（ｅ）の実施の形態のように互いに違いに角度を変化させて芯材６に沿って設け、ブラシ部４を複数個設け、かつ角度を変化させることで、効果的に塗布したり歯垢清掃することができる。
【００５６】
図１０（ｇ）の実施の形態では、一対のブラシ部４を対称位置に有しているが、手元側から先端側に厚みが小さくなるようになっており、図１０（ｈ）の実施の形態では、手元側から先端側に厚みが大きくなるようになっており、図１０（ｉ）の実施の形態では、中央部から手元側及び先端側に厚みが小さくなるようになっており、一対のブラシ部４の長手方向の厚みを変化させることで、効果的に塗布したり歯垢清掃することができる。
【００５７】
次に、図１１及び図１２に示す実施の形態を説明する。図１１（ａ）乃至（ｆ）の実施の形態では、２個のブラシ部４が平板状になっているが、芯材６を種々の形態に曲げたものであり、さらにブラシ毛材５の向きを変化させたり、屈曲させたりしており、この芯材６を種々の形態を利用して、効果的に塗布したり歯垢清掃することができる。
【００５８】
また、図１１（ｇ）乃至（ｎ）の実施の形態では、２個のブラシ部４が平板状になっているが、芯材６を直線したものであり、さらにブラシ毛材５の向きを変化させたり、屈曲させたりしており、ブラシ毛材５の形状を変化させることで、効果的に塗布したり歯垢清掃することができる。
【００５９】
図１２（ａ）乃至（ｃ）の実施の形態は、１本のブラシ毛材５の先端部５ａの切断形状を示し、図１２（ｄ）乃至（ｉ）の実施の形態は、１本のブラシ毛材５の先端部５ａの種々の曲げ形状を示し、これらは先端部５ａの形状を利用して、効果的に塗布したり歯垢清掃することができる。
【００６０】
次に、図１３に示す実施の形態を説明する。図１３（ａ）の実施の形態では、ブラシ本体３が２個のブラシ部４を対称位置に有し、成形型の軸部７０に芯材６が位置するように配置され、ブラシ本体３の先端は軸部７０から先方へ突出し、軸部７０には突起７０ａが多数形成されている。ブラシ本体３の先端は、２個のブラシ部４が先き細りになっている。
【００６１】
図１３（ｂ）の実施の形態では、図１３（ａ）の実施の形態と同様に成形型の軸部７０に芯材６が位置するように配置され、軸部７０には溝７０ｂが軸方向に多数連続して形成されている。図１３（ｃ）の実施の形態では、ブラシ本体３が１個のブラシ部４を有し、芯材６が成形型の半円の軸部７０に配置され、ブラシ本体３の先端は軸部７０から先方へ突出し、軸部７０には溝７０ｂが軸方向に多数連続して形成されている。
【００６２】
図１３（ｄ）の実施の形態では、ブラシ本体３が１個のブラシ部４を有し、芯材６が成形型の半円の軸部７０に配置され、軸部７０には突起７０ａが多数形成されている。図１３（ｅ）の実施の形態では、ブラシ本体３が１個のブラシ部４を有し、芯材６が成形型の半円の軸部７０に配置され、軸部７０には櫛７２が形成されている。図１３（ｆ）の実施の形態では、ブラシ本体３が１個のブラシ部４を有し、芯材６が左右の櫛７２の間に位置するように配置されている。
【００６３】
このように、ブラシ部４は、塗布液を塗布する櫛または成形型の塗布部と軸方向に組み合わせた構成であるから、液塗布ブラシとして用いる場合には、液容器にブラシ本体を入れて塗布液を付着させて取り出すことがあるが、このとき液容器の口部に設けられたパッキン等でブラシ部４のブラシ毛材５がしごかれてブラシ部４に塗布液の液溜りがなく、櫛または成形型の塗布部を用いて例えばまつ毛に多量塗布し、ブラシ部４のブラシ毛材５によってまつ毛を１本１本梳くようにして塗布液を均一に塗布することができる。また、歯間ブラシとして用いる場合には、歯の間の隙間にブラシ毛材５が密集したブラシ部４を挿入して歯間を確実に歯垢清掃することができる。
【産業上の利用可能性】
【００６４】
この発明は、特にマスカラブラシや毛染め用ブラシのように塗布対象毛にマスカラや毛染め液などの塗布液を塗布するための液塗布ブラシ、または通常の歯ブラシによるブラッシングでは歯垢清掃が困難な歯間部分を歯垢清掃するための歯間ブラシ等に用いられるブラシ具に適用でき、ブラシ毛材の隙間を軽減することで液塗布ブラシ、または歯間ブラシに好適に用いることが可能である。
【符号の説明】
【００６５】
１  ブラシ具
２  握り部
３  ブラシ本体
４  ブラシ部
５  ブラシ毛材
５ａ  ブラシ毛材５の先端部
６  芯材
【図１】
0005453670.tif 000002
【図２】
0005453670.tif 000003
【図３】
0005453670.tif 000004
【図４】
0005453670.tif 000005
【図５】
0005453670.tif 000006
【図６】
0005453670.tif 000007
【図７】
0005453670.tif 000008
【図８】
0005453670.tif 000009
【図９】
0005453670.tif 000010
【図１０】
0005453670.tif 000011
【図１１】
0005453670.tif 000012
【図１２】
0005453670.tif 000013
【図１３】
0005453670.tif 000014